(57)【要約】【課題】印刷開始の待ち時間が長くなることを抑制することができる画像形成装置を提供する。【解決手段】画像形成装置１００は、動作モードとして、印刷モード、待機モード及びスリープモードを有する。画像形成装置１００は、画像形成部３と、筐体１０と、シャッター２０と、制御部５とを備える。画像形成部３は、シートに画像を形成する。筐体１０は、開口部１２を有するとともに、画像形成部３を収容する。シャッター２０は開口部１２を開閉可能である。制御部５はシャッター２０を制御する。印刷モードではシートに画像を形成する。待機モードでは画像形成部３がシートに画像を形成しておらず、消費電力が第１消費電力となる。スリープモードでは画像形成部３がシートに画像を形成しておらず、消費電力が第１消費電力よりも低い第２消費電力となる。制御部５は、印刷モード、待機モード及びスリープモードに応じてシャッター２０の動作を制御する。【選択図】図１
2020095142.tif 000002
【特許請求の範囲】
【請求項１】
動作モードとして、印刷モード、待機モード及びスリープモードを有する画像形成装置であって、
シートに画像を形成する画像形成部と、
開口部を有するとともに、前記画像形成部を収容する筐体と、
前記開口部を開閉可能なシャッターと、
前記シャッターを制御する制御部と
を備え、
前記印刷モードは、前記シートに前記画像を形成するモードであり、
前記待機モードは、前記画像形成部が前記シートに前記画像を形成しておらず、消費電力が第１消費電力となるモードであり、
前記スリープモードは、前記画像形成部が前記シートに前記画像を形成しておらず、前記消費電力が前記第１消費電力よりも低い第２消費電力となるモードであり、
前記制御部は、前記印刷モード、前記待機モード及び前記スリープモードに応じて前記シャッターの動作を制御する、画像形成装置。
【請求項２】
前記制御部は、前記動作モードが前記印刷モード又は前記待機モードである間は、前記開口部が第１状態となり、前記動作モードが前記スリープモードである間は、前記開口部が第２状態となるように、前記シャッターを制御し、
前記第２状態の前記開口部は、前記第１状態の前記開口部と比べて、開放面積が大きい、請求項１に記載の画像形成装置。
【請求項３】
前記制御部は、前記印刷モードでの動作が終了することに応じて、前記動作モードを前記印刷モードから前記待機モードに移行させ、
前記制御部は、前記待機モードの開始から一定期間が経過したことに応じて、前記動作モードを前記待機モードから前記スリープモードに移行させ、
前記画像形成装置は、前記シートに前記画像を形成することを要求する画像形成指示を受け付ける受付部を更に備え、
前記制御部は、前記動作モードが前記スリープモードである間に前記受付部が前記画像形成指示を受け付けた場合、前記動作モードが前記印刷モードから前記待機モードに移行したことに応じて、前記開口部が第３状態となるように、前記シャッターを制御し、
前記第３状態の前記開口部は、前記第１状態の前記開口部に比べて、開放面積が大きい、請求項２に記載の画像形成装置。
【請求項４】
前記制御部は、前記画像形成装置の消耗品が切れたことを検知し、
前記制御部は、前記画像形成装置の消耗品が切れたことを検知したことに応じて前記印刷モードを終了させた場合、前記開口部が前記第１状態となるように、前記シャッターを制御する、請求項２又は３に記載の画像形成装置。
【請求項５】
前記シートに前記画像を定着させる定着部を更に備え、
前記動作モードは、前記定着部の温度を所定の温度まで昇温させるウォームアップモードを更に含み、
前記制御部は、前記動作モードが前記ウォームアップモードである間、前記開口部が前記第１状態となるように、前記シャッターを制御する、請求項２から請求項４のいずれか１項に記載の画像形成装置。
【請求項６】
前記筐体の内部に配置され、前記開口部を介して前記筐体の内部を空冷するためのファンを更に備え、
前記制御部は、前記ファンの回転速度を制御し、
前記制御部は、
前記動作モードが前記印刷モードである間は、前記開口部が第１開放状態となるように、前記シャッターを制御するとともに前記ファンを第１回転速度で駆動させ、
前記動作モードが前記待機モードである間は、前記開口部が前記第１開放状態となるように、前記シャッターを制御するとともに前記ファンを前記第１回転速度よりも遅い第２回転速度で駆動させ、
前記動作モードが前記スリープモードである間、前記開口部が第２開放状態となるように、前記シャッターを制御するとともに前記ファンを停止させ、
前記第２開放状態の前記開口部は、前記第１開放状態の前記開口部に比べて、開放面積が大きい、請求項１に記載の画像形成装置。
【発明の詳細な説明】
【技術分野】
【０００１】
本発明は、画像形成装置に関する。
【背景技術】
【０００２】
特許文献１には、ダクトを備える画像形成装置が開示されている。ダクトは、ダクト壁と、外気吸気口と、開口部と、シャッターとを備える。ダクト壁は、外気吸気口と吸引ファンとの間に設けられる。開口部は、ダクト壁に設けられている。シャッターは、像担持体の近傍の温度が所定の温度より大きくなると、開口部を遮断して外気吸気口を開放し、像担持体の近傍の温度が所定の温度まで低下すると、開口部を開放して外気吸気口を遮断するように制御されている。
【先行技術文献】
【特許文献】
【０００３】
【特許文献１】特開２００４−３４７７７０号公報
【発明の概要】
【発明が解決しようとする課題】
【０００４】
しかしながら、特許文献１に開示の画像形成装置では、像担持体の近傍の温度に応じて、シャッターの開閉が制御されている。このため、定着部などの温度を下げたくない部分の温度を下げてしまうおそれがある。その結果、印刷指示をした際、定着部の温度が所定温度になるまで定着部を加熱する必要が生じ、印刷開始の待ち時間が長くなるおそれがある。
【０００５】
本発明は、上記課題に鑑み、印刷開始の待ち時間が長くなることを抑制することができる画像形成装置を提供することを目的とする。
【課題を解決するための手段】
【０００６】
本発明に係る画像形成装置は、動作モードとして、印刷モード、待機モード及びスリープモードを有する。当該画像形成装置は、画像形成部と、筐体と、シャッターと、制御部とを備える。前記画像形成部は、シートに画像を形成する。前記筐体は、開口部を有するとともに、前記画像形成部を収容する。前記シャッターは、前記開口部を開閉可能である。前記制御部は、前記シャッターを制御する。前記印刷モードは、前記シートに前記画像を形成するモードである。前記待機モードは、前記画像形成部が前記シートに前記画像を形成しておらず、消費電力が第１消費電力となるモードである。前記スリープモードは、前記画像形成部が前記シートに前記画像を形成しておらず、前記消費電力が前記第１消費電力よりも低い第２消費電力となるモードである。前記制御部は、前記印刷モード、前記待機モード及び前記スリープモードに応じて前記シャッターの動作を制御する。
【発明の効果】
【０００７】
本発明の画像形成装置によれば、印刷開始の待ち時間が長くなることを抑制することができる。
【図面の簡単な説明】
【０００８】
【図１】本発明の実施形態１に係る画像形成装置のブロック図である。
【図２】（ａ）及び（ｂ）は、本発明の実施形態１に係る画像形成装置の外観を示す斜視図である。
【図３】（ａ）及び（ｂ）は、本発明の実施形態１による画像形成装置の第１開口部付近の断面を示す図である。
【図４】本発明の実施形態１に係る画像形成装置の制御部が実行する処理を示すフローチャートである。
【図５】本発明の実施形態１に係る画像形成装置の制御部が実行する処理を示すフローチャートである。
【図６】本発明の実施形態１に係る画像形成装置の制御部が実行する処理を示すフローチャートである。
【図７】本発明の実施形態２に係る画像形成装置のブロック図である。
【図８】本発明の実施形態２に係る画像形成装置の外観を示す斜視図である。
【図９】（ａ）及び（ｂ）は、本発明の実施形態２に係る画像形成装置の第３開口部付近の断面を示す図である。
【図１０】本発明の実施形態２に係る画像形成装置の制御部が実行する処理を示すフローチャートである。
【図１１】本発明の実施形態２に係る画像形成装置の制御部が実行する処理を示すフローチャートである。
【図１２】本発明の実施形態２に係る画像形成装置の制御部が実行する処理を示すフローチャートである。
【図１３】本発明の実施形態２に係る画像形成装置の制御部が実行する処理を示すフローチャートである。
【発明を実施するための形態】
【０００９】
以下、本発明の実施形態について、図面を参照しながら説明する。なお、図中、同一又は相当部分については同一の参照符号を付して説明を繰り返さない。
【００１０】
［実施形態１］
図１を参照して、実施形態１に係る画像形成装置１００について説明する。図１は、実施形態１に係る画像形成装置１００のブロック図である。
【００１１】
図１に示すように、画像形成装置１００は、筐体１０と、第１シャッター２０と、吸気ファン１と、受付部３０と、給紙部４０と、搬送機構２と、画像形成部３と、トナーコンテナー５０と、定着部４と、制御部５とを備える。画像形成装置１００は、シートに画像を形成する。画像形成装置１００は、電子写真方式のモノクロプリンターである。
【００１２】
筐体１０は、その内部に、第１シャッター２０と、吸気ファン１と、受付部３０と、給紙部４０と、搬送機構２と、画像形成部３と、トナーコンテナー５０と、定着部４と、制御部５とを収容する。筐体１０の詳細については、図２（ａ）及び図２（ｂ）を参照して後述する。また、第１シャッター２０の詳細については、図３（ａ）及び図３（ｂ）を参照して後述する。
【００１３】
吸気ファン１は、筐体１０の外部の空気を筐体１０の内部へ吸気する。
【００１４】
受付部３０は、外部端末３１から出力される信号を受信する。外部端末３１から出力される信号は、外部端末３１に入力されたユーザーの指示を示す。ユーザーの指示は、画像形成指示（印刷指示）を含む。受付部３０は、例えば、ＬＡＮ（Ｌｏｃａｌ  Ａｒｅａ  Ｎｅｔｗｏｒｋ）ケーブル、又は無線ＬＡＮを介して、外部端末３１と通信可能に接続する。受付部３０は、例えば、有線ＬＡＮボード、又は無線ＬＡＮボードを含む。
【００１５】
給紙部４０は、給紙カセットと、給紙ローラーと、シート検知部４１とを有する。給紙カセットは、複数枚のシートを収容する。給紙ローラーは、給紙カセットに収容されているシートを搬送機構２へ給紙する。シート検知部４１は、給紙カセットにシートが載置されているか否かを検知する。シート検知部４１は、例えば、発光部及び受光部を有する反射型の光センサー、透過型の光センサー、又は超音波センサーを含む。シートは、消耗品の一例である。
【００１６】
搬送機構２は、画像形成部３を経由するように、給紙部４０から給紙されたシートをシートトレイ１１まで搬送する。シートトレイ１１については図２（ａ）及び図２（ｂ）を参照して後述する。搬送機構２は、ローラー及びガイド部材を備える。
【００１７】
画像形成部３は、シートに画像を形成する。詳しくは、画像形成部３は、シートにトナー像を転写する。画像形成部３は、露光装置、帯電装置、感光体ドラム（像担持体）、現像装置、クリーニング装置、及び転写装置を備える。
【００１８】
トナーコンテナー５０は、容器本体と、残量検知部５１とを備える。容器本体は、トナーを収容する。残量検知部５１は、容器本体の内部のトナーの残量を検知する。残量検知部５１は、例えば、容器本体の重量を測定する重量センサーを含む。トナーは、消耗品の一例である。
【００１９】
定着部４は、トナー像をシート上に定着させる。以下では、トナー像を「画像」と記載する。定着部４は、加圧部材及び加熱部材を備える。加熱部材は、画像が転写された用紙を加熱する。加圧部材は、画像が転写された用紙を加熱部材とともに加圧する。
【００２０】
制御部５は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含む。制御部５は、吸気ファン１の駆動、及び第１シャッター２０の駆動のような画像形成装置１００の各部の動作を制御する。制御部５は、シート検知部４１から送られる信号に基づいて、給紙カセットからシートがなくなったことを検知する。また、制御部５は、残量検知部５１から送られる信号に基づいて、容器本体内にトナーがなくなったことを検知する。
【００２１】
次に、画像形成装置１００の動作モードについて説明する。画像形成装置１００の動作モードは、印刷モードと、待機モードと、スリープモードと、ウォームアップモードとを有する。画像形成装置１００の電源がオンの状態において、印刷モード、待機モード、スリープモード、及びウォームアップモードから選ばれる１つの動作モードで画像形成装置１００が動作するように、制御部５は画像形成装置１００の各部を制御する。
【００２２】
印刷モードは、シートに画像を形成するモードである。画像形成装置１００の動作モードが印刷モードである間は、定着部４の加熱部材の表面温度はシートを定着処理可能な定着温度に維持されている。画像形成装置１００の動作モードが印刷モードである間、吸気ファン１は駆動している。例えば、受付部３０が画像形成指示を受け付けた場合、制御部５は画像形成装置１００の動作モードを印刷モードに移行させる。
【００２３】
待機モードは、画像形成部３がシートに画像を形成しておらず、消費電力が第１消費電力となるモードである。画像形成装置１００の動作モードが待機モードである間は、定着部４の加熱部材の表面温度は、定着動作が可能な温度に維持されている。そのため、画像形成装置１００の動作モードが待機モードである場合、比較的短時間で画像形成装置１００の動作モードを印刷モードへ移行することができる。画像形成装置１００の動作モードが待機モードである間、吸気ファン１は駆動している。例えば、印刷処理又はウォームアップモードが終了した場合、制御部５は画像形成装置１００の動作モードを待機モードに移行させる。印刷処理中にトナー切れ又はシート切れが発生する場合、制御部５は画像形成装置１００の動作モードを待機モードに移行させる。以下、トナー切れ、又はシート切れを、「消耗品切れ」と記載する。
【００２４】
スリープモードは、画像形成部３がシートに画像を形成しておらず、消費電力が第１消費電力よりも低い第２消費電力となるモードである。詳しくは、画像形成装置１００の動作モードがスリープモードである間は、画像形成装置１００の一部のみに電力が供給される。従って、画像形成装置１００の動作モードがスリープモードである場合、待機モードよりも消費電力が小さくなる。画像形成装置１００の動作モードがスリープモードである間は、定着部４の加熱部材は加熱されておらず、吸気ファン１は駆動していない。そのため、画像形成装置１００の動作モードがスリープモードである場合、画像形成装置１００の動作モードを印刷モードへ移行するには、比較的長い時間を要する。例えば、画像形成装置１００の動作モードが待機モードである間、又は受付部３０が画像形成指示を一定期間受け付けない場合、制御部５は画像形成装置１００の動作モードをスリープモードに移行させる。
【００２５】
ウォームアップモードは、定着部４の加熱部材の温度を所定の温度まで昇温させるモードである。詳しくは、画像形成装置１００の動作モードがウォームアップモードである間、定着動作が可能な温度になるまで定着部４の加熱部材が加熱される。画像形成装置１００の動作モードがウォームアップモードである間、吸気ファン１は駆動していない。例えば、画像形成装置１００の電源がオフからオンに切り替えられた場合、制御部５は画像形成装置１００の動作モードをウォームアップモードに移行させる。
【００２６】
次に、図１、図２（ａ）、及び図２（ｂ）を参照して、実施形態１に係る画像形成装置１００について更に説明する。図２（ａ）及び図２（ｂ）は、実施形態１に係る画像形成装置１００の外観を示す斜視図である。図２（ａ）及び図２（ｂ）に示すように、画像形成装置１００は、操作パネル３２を更に備える。以下では、画像形成装置１００の操作パネル３２が配置される側を画像形成装置１００の前側とし、その反対側を画像形成装置１００の後側として本実施形態を説明する。また、画像形成装置１００を前側から見たときの右側を画像形成装置１００の右側とし、その反対側を画像形成装置１００の左側として本実施形態を説明する。また、画像形成装置１００の前後方向及び左右方向と直交する方向において、操作パネル３２が配置される側を画像形成装置１００の上側とし、その反対側を画像形成装置１００の下側として本実施形態を説明する。
【００２７】
筐体１０は、略直方体形状の箱である。筐体１０は、前面壁１０Ｆ、上面壁１０Ｔ、左側壁１０Ｌ、及び右側壁１０Ｒを有する。前面壁１０Ｆは、画像形成装置１００の前面を構成する。上面壁１０Ｔは、画像形成装置１００の上面を構成する。左側壁１０Ｌは、画像形成装置１００の左側面を構成する。右側壁１０Ｒは、画像形成装置１００の右側面を構成する。
【００２８】
上面壁１０Ｔには、シートトレイ１１が形成されている。シートトレイ１１には、画像が形成された後のシートが積載される。
【００２９】
操作パネル３２は、上面壁１０Ｔに配置される。操作パネル３２は、複数個の操作キーを含む。ユーザーは、操作キーを操作して、制御部５に各種の指示を入力可能である。例えば、各種の指示は、印刷ジョブの消去を含む。
【００３０】
右側壁１０Ｒの上部は、第１開口部１２を有する。第１開口部１２は、第１シャッター２０によって開閉可能である。第１開口部１２は、図３（ａ）及び図３（ｂ）を参照して後述する。
【００３１】
左側壁１０Ｌは、第２開口部１３を有する。第２開口部１３は、吸気ファン１の稼働により、筐体１０の外部から筐体１０の内部に空気を取り込むことができるように形成されている。吸気ファン１は、筐体１０の内部のうち左側に配置されている。
【００３２】
右側壁１０Ｒの中部及び下部は、第３開口部１４、第４開口部１５、第５開口部１６、第６開口部１７、及び第７開口部１８を有する。第３開口部１４〜第７開口部１８は、吸気ファン１の駆動により筐体１０の内部に生成された空気流を筐体１０の外部に排気できるように、形成されている。すなわち、第２開口部１３〜第７開口部１８は、筐体１０の外部を筐体１０に内部に連通させる。吸気ファン１が駆動すると、筐体１０の外部の空気が第２開口部１３を介して筐体１０の内部に取り込まれて、筐体１０の内部に空気流が生成される。この空気流は、画像形成装置１００の動作に基づく筐体１０の内部の温かい空気を、第３開口部１４〜第７開口部１８を介して筐体１０の外部に排出する。
【００３３】
第１開口部１２〜第７開口部１８の各々の形状は、ルーバー状である。
【００３４】
次に、図３（ａ）及び図３（ｂ）を参照して、基板６及び第１シャッター２０について更に説明する。図３（ａ）及び図３（ｂ）は、画像形成装置１００の第１開口部１２付近の断面を示す。詳しくは、図３（ａ）は、第１開口部１２の全開状態を示す。図３（ｂ）は、第１開口部１２の全閉状態を示す。
【００３５】
図３（ａ）及び図３（ｂ）に示すように、画像形成装置１００は基板６を備える。基板６は、筐体１０の内部のうち、右側の上部付近に配置されている。基板６は、例えば、エンジン基板、又はメイン基板を含む。エンジン基板は、吸気ファン１の駆動用モーター、及び搬送機構２の駆動用モーターなどを制御する。メイン基板は、画像形成部３の作動を制御する。
【００３６】
第１開口部１２は、基板６の熱を筐体１０の外部に排気できるように、基板６の近傍に形成されている。第１開口部１２が基板６の近傍に形成されていることにより、基板６の熱は自然空冷によって筐体１０の外部に排気される。また、図３（ａ）及び図３（ｂ）に示すように、第１開口部１２はルーバー状であり、複数の第１貫通孔１２Ａを有する。
【００３７】
第１シャッター２０は、第１開口部１２を、全閉状態、又は全開状態にする。ここで、第１開口部１２の全開状態とは、第１開口部１２の第１貫通孔１２Ａのすべてが開放されている状態を示す。開放されている状態とは、第１貫通孔１２Ａが第１シャッター２０によって閉塞されていない状態を示す。第１開口部１２の全閉状態とは、第１開口部１２の第１貫通孔１２Ａのすべてが第１シャッター２０によって閉塞されている状態を示す。全開状態の第１開口部１２は、全閉状態の第１開口部１２と比べて、開放面積が大きい。ここで、開放面積とは、画像形成装置１００（筐体１０）の外部から第１開口部１２を観た際に、第１シャッター２０によって閉塞されていない複数個の第１貫通孔１２Ａの総面積を示す。なお、全閉状態は第１開口部１２の第１状態の一例であり、全開状態は第１開口部１２の第２状態及び第３状態の一例である。
【００３８】
第１シャッター２０は、駆動部２１と、第１シャッター体２２とを備える。駆動部２１は、第１シャッター体２２を駆動する。本実施形態において、駆動部２１は、右側壁１０Ｒの内壁面に沿って第１シャッター体２２を移動させる。駆動部２１は、駆動源２１１と、ギア２１２とを有する。駆動源２１１は、ギア２１２を反時計回り又は時計回りに回転させる。駆動源２１１は、例えば、モーターである。第１シャッター体２２は、ルーバー部２２Ａと、ラック部２２Ｂとを有する。ルーバー部２２Ａの形状は、第１開口部１２のルーバー状と対応する。この結果、第１シャッター体２２は、第１開口部１２を全閉状態又は全開状態にすることができる。ラック部２２Ｂは、複数の歯を有する。複数の歯は、ギア２１２の歯と噛み合うように形成されている。
【００３９】
駆動源２１１がギア２１２を反時計回りに回転させると、第１シャッター体２２は、上方向に直線移動する。また、駆動源２１１がギア２１２を時計回りに回転させると、第１シャッター体２２は、下方向に直線移動する。このように第１シャッター２０が駆動することで、第１開口部１２は、全閉状態、又は全開状態となる。第１開口部１２が全開状態である場合、自然空冷によって基板６の熱が筐体１０の外部に排気されやすくなる。第１開口部１２が全閉状態である場合、基板６の熱は筐体１０の外部に排気されにくくなる。
【００４０】
次に、図１〜図４を参照して、制御部５が実行する処理について説明する。図４は、実施形態１に係る画像形成装置１００の制御部５が実行する処理を示す。詳しくは、図４に示す処理は、画像形成装置１００の電源がオンからオフに切り替えられたことに応じてスタートする。図４に示すステップＳ１０１〜ステップＳ１１１の処理が実行されることによって、画像形成装置１００の冷却動作が行われる。スタートの時点では、第１開口部１２は全開状態（第２状態）である。
【００４１】
ステップＳ１０１：制御部５は、第１開口部１２が全閉状態（第１状態）となるように、第１シャッター２０を制御する。処理は、ステップＳ１０２に進む。
【００４２】
ステップＳ１０２：制御部５は、画像形成装置１００の動作モードをウォームアップモードに移行させる。処理は、ステップＳ１０３に進む。
【００４３】
ステップＳ１０３：制御部５は、画像形成装置１００の動作モードを待機モードに移行させる。定着動作が可能な温度になるまで定着部４の加熱部材が加熱されると、処理は、ステップＳ１０４に進む。
【００４４】
ステップＳ１０４：制御部５は、画像形成装置１００の動作モードがウォームアップモードから待機モードに移行した時点から所定時間経過したか否かを判定する。制御部５が所定時間経過したと判定した場合（ステップＳ１０４；ＹＥＳ）、処理は、ステップＳ１０９へ進む。制御部５が所定時間経過していないと判定した場合（ステップＳ１０４；Ｎｏ）、処理は、ステップＳ１０５へ進む。所定時間は、画像形成装置１００の使用環境などに応じて適宜調整され得る。
【００４５】
ステップＳ１０５：制御部５は、受付部３０が画像形成指示を受け付けたか否かを判定する。受付部３０が画像形成指示を受け付けたと制御部５が判定した場合（ステップＳ１０５；ＹＥＳ）、処理は、ステップＳ１０６へ進む。受付部３０が画像形成指示を受け付けていないと制御部５が判定した場合（ステップＳ１０５；Ｎｏ）、処理は、ステップＳ１０４へ戻る。
【００４６】
ステップＳ１０６：制御部５は、画像形成装置１００の動作モードを印刷モードに移行させる。印刷処理が終了すると、処理は、ステップＳ１０７へ進む。
【００４７】
ステップＳ１０７：制御部５は、画像形成装置１００の動作モードを待機モードに移行させる。処理は、ステップＳ１０８へ進む。
【００４８】
ステップＳ１０８：制御部５は、画像形成装置１００の動作モードが印刷モードから待機モードに移行した時点から所定時間経過したか否かを判定する。制御部５が所定時間経過したと判定した場合（ステップＳ１０８；ＹＥＳ）、処理は、ステップＳ１０９へ進む。制御部５が所定時間経過していないと判定した場合（ステップＳ１０８；Ｎｏ）、処理は、ステップＳ１１１へ進む。
【００４９】
ステップＳ１０９：制御部５は、第１開口部１２が全開状態（第２状態）となるように、第１シャッター２０を制御する。処理は、ステップＳ１１０へ進む。
【００５０】
ステップＳ１１０：制御部５は、画像形成装置１００の動作モードをスリープモードに移行させる。処理は、終了する。
【００５１】
ステップＳ１１１：制御部５は、受付部３０が画像形成指示を受け付けたか否かを判定する。受付部３０が画像形成指示を受け付けたと制御部５が判定した場合（ステップＳ１１１；ＹＥＳ）、処理は、ステップＳ１０６へ戻る。受付部３０が画像形成指示を受け付けていないと制御部５が判定した場合（ステップＳ１１１；Ｎｏ）、処理は、ステップＳ１０８へ戻る。
【００５２】
以上、図４を参照して説明したように、制御部５は、印刷モード、待機モード、及びスリープモードに応じて、第１シャッター２０の動作を制御する。具体的に、制御部５は、画像形成装置１００の動作モードが印刷モード又は待機モードである間は、第１開口部１２が全閉状態（第１状態）となるように、第１シャッター２０を制御する。更に、制御部５は、画像形成装置１００の動作モードがスリープモードである間は、第１開口部１２が全開状態（第２状態）となるように、第１シャッター２０を制御する。
【００５３】
このように、画像形成装置１００の動作モードが印刷モード又は待機モードである間、第１開口部１２は全閉状態（第１状態）である。これにより、定着部４などの温度を下げたくない部分の温度を下げにくくすることができる。その結果、印刷開始の待ち時間が長くなることを抑制することができる。更に、画像形成装置１００の動作モードが印刷モードである間、第１開口部１２を全閉状態（第１状態）とすることで、第１開口部１２が全開状態である場合に比べて画像形成装置１００の騒音を低減することができる。
【００５４】
また、画像形成装置１００の動作モードがスリープモードである間、第１開口部１２は全開状態（第２状態）である。これにより、画像形成装置１００の動作モードがスリープモードに移行するに伴い、吸気ファン１の駆動が停止しても、基板６の熱は自然空冷によって筐体１０の外部に排気されやすくなる。この結果、熱に起因する基板６の劣化を抑制することができる。
【００５５】
また、制御部５は、画像形成装置１００の動作モードがウォームアップモードである間、第１開口部１２が全閉状態（第１状態）となるように、第１シャッター２０を制御する。これにより、筐体１０の内部の空気は、筐体１０の外部へ排気されにくくなる。従って、画像形成装置１００の動作モードがウォームアップモードである場合、第１開口部１２が全開状態である場合に比べて、定着部４の温度を所定の温度までより昇温させやすくなる。その結果、画像形成装置１００の電源がオフからオンに切り替えられた際、印刷開始の待ち時間を更に短縮することができる。
【００５６】
次に、図１〜図３、及び図５を参照して、制御部５が実行する処理について更に説明する。図５は、実施形態１に係る画像形成装置１００の制御部５が実行する処理を示すフローチャートである。図５に示す処理は、画像形成装置１００の動作モードがスリープモードである間に受付部３０が画像形成指示を受け付けたことに応じてスタートする。スタートの時点では、画像形成装置１００の動作モードはスリープモードであり、第１開口部１２は全開状態（第２状態）である。
【００５７】
ステップＳ２０１：制御部５は、第１開口部１２が全閉状態（第１状態）となるように、第１シャッター２０を制御する。処理は、ステップＳ２０２に進む。
【００５８】
ステップＳ２０２：制御部５は、画像形成装置１００の動作モードをウォームアップモードに移行させる。定着動作が可能な温度になるまで定着部４の加熱部材が加熱されると、処理は、ステップＳ２０３に進む。
【００５９】
ステップＳ２０３：制御部５は、画像形成装置１００の動作モードを印刷モードに移行させる。印刷処理が完了すると、処理は、ステップＳ２０４へ進む。
【００６０】
ステップＳ２０４：制御部５は、画像形成装置１００の動作モードを待機モードに移行させる。処理は、ステップＳ２０５へ進む。
【００６１】
ステップＳ２０５：制御部５は、第１開口部１２が全開状態（第３状態）となるように、第１シャッター２０を制御する。処理は、ステップＳ２０６へ進む。
【００６２】
ステップＳ２０６：制御部５は、画像形成装置１００の動作モードが印刷モードから待機モードに移行した時点から所定時間経過したか否かを判定する。制御部５が所定時間経過したと判定した場合（ステップＳ２０６；ＹＥＳ）、処理は、ステップＳ２０７へ進む。制御部５が所定時間経過していないと判定した場合（ステップＳ２０６；Ｎｏ）、処理は、ステップＳ２０８へ進む。
【００６３】
ステップＳ２０７：制御部５は、画像形成装置１００の動作モードをスリープモードに移行させる。処理は、終了する。
【００６４】
ステップＳ２０８：制御部５は、受付部３０が画像形成指示を受け付けたか否かを判定する。受付部３０が画像形成指示を受け付けたと制御部５が判定した場合（ステップＳ２０８；ＹＥＳ）、処理は、ステップＳ２０９へ進む。受付部３０が画像形成指示を受け付けていないと制御部５が判定した場合（ステップＳ２０８；Ｎｏ）、処理は、ステップＳ２０６へ戻る。
【００６５】
ステップ２０９：制御部５は、第１開口部１２が全閉状態（第１状態）となるように、第１シャッター２０を制御する。処理は、ステップＳ２０３へ戻る。
【００６６】
以上、図１〜図３、及び図５を参照して説明したように、制御部５は、画像形成装置１００の動作モードがスリープモードである間に受付部３０が画像形成指示を受け付けた場合、画像形成装置１００の動作モードが印刷モードから待機モードに移行したことに応じて、第１開口部１２が全開状態（第３状態）となるように、第１シャッター２０を制御する。画像形成装置１００の動作モードがスリープモードである間に受付部３０が画像形成指示を受け付ける場合、受付部３０が画像形成指示を受け付ける頻度は低い。従って、定着部４の加熱部材の表面温度を定着動作が可能な温度に維持する必要性は低い。本実施形態では、画像形成装置１００の動作モードがスリープモードである間に受付部３０が画像形成指示を受け付けた場合、画像形成装置１００の動作モードが印刷モードから待機モードに移行することに合わせて、第１開口部１２を全開状態（第３状態）にすることで、基板６をより早いタイミングで自然冷却させる。これにより、熱に起因する基板６の劣化をより抑制することができる。
【００６７】
次に、図１〜図３、及び図６を参照して、制御部５が実行する処理について更に説明する。図６は、実施形態１に係る画像形成装置１００の制御部５が実行する処理を示すフローチャートである。図６に示す処理は、画像形成装置１００の動作モードが印刷モードである際に、消耗品が切れたことに応じてスタートする。スタートの時点では、画像形成装置１００の動作モードは印刷モードであり、第１開口部１２は全閉状態（第１状態）である。
【００６８】
ステップＳ３０１：制御部５は、シート検知部４１及び残量検知部５１から送られた信号に基づいて、シート又はトナー（消耗品）が切れたことを検知すると、画像形成装置１００の動作モードを待機モードに移行する。処理は、Ｓ３０２へ進む。
【００６９】
ステップＳ３０２：制御部５は、シート検知部４１及び残量検知部５１から送られる信号に基づいて、シート又はトナーが補充されたか否かを判定する。シート又はトナーが補充されたと制御部５が判定した場合（ステップＳ３０２；Ｙｅｓ）、処理はステップＳ３０３へ進む。シート又はトナーが補充されていないと判定した場合（ステップＳ３０２；Ｎｏ）処理はステップＳ３０２へ戻る。
【００７０】
ステップＳ３０３：制御部５は、画像形成装置１００の動作モードを印刷モードへ移行する。この結果、中断された印刷処理が再開される。印刷処理が完了すると、処理はステップＳ３０４へ進む。
【００７１】
ステップＳ３０４：制御部５は、画像形成装置１００の動作モードを待機モードに移行させる。処理は、ステップＳ３０５へ進む。
【００７２】
ステップＳ３０５：制御部５は、画像形成装置１００の動作モードが印刷モードから待機モードに移行した時点から所定時間経過したか否かを判定する。制御部５が所定時間経過したと判定した場合（ステップＳ３０５；ＹＥＳ）、処理は、ステップＳ３０６へ進む。制御部５が所定時間経過していないと判定した場合（ステップＳ３０５；Ｎｏ）、処理は、ステップＳ３０８へ進む。
【００７３】
ステップＳ３０６：制御部５は、第１開口部１２が全開状態（第２状態）となるように、第１シャッター２０を制御する。処理は、ステップＳ３０７へ進む。
【００７４】
ステップＳ３０７：制御部５は、画像形成装置１００の動作モードをスリープモードに移行させる。処理は、終了する。
【００７５】
ステップＳ３０８：制御部５は、受付部３０が画像形成指示を受け付けたか否かを判定する。受付部３０が画像形成指示を受け付けたと制御部５が判定した場合（ステップＳ３０８；ＹＥＳ）、処理は、ステップＳ３０３へ戻る。受付部３０が画像形成指示を受け付けていないと制御部５が判定した場合（ステップＳ３０８；Ｎｏ）、処理は、ステップＳ３０５へ戻る。
【００７６】
以上、図１〜図３、及び図６を参照して説明したように、制御部５は、画像形成装置１００の消耗品が切れたことを検知したことに応じて印刷モードを終了させた場合、第１開口部１２が全閉状態（第１状態）となるように、第１シャッター２０を制御する。つまり、画像形成装置１００の動作モードが印刷モードである間に消耗品が切れた場合、消耗品が補給されるまでの間、第１開口部１２は全閉状態（第１状態）に維持される。これにより、消耗品が画像形成装置１００に補強されるまでの間、定着部４の加熱部材の表面温度を定着動作が可能な温度に維持しやすい。その結果、消耗品が画像形成装置１００に補給されるまでの間、第１開口部１２を全開状態とする場合に比べて、画像形成装置１００をより早く印刷モードに復帰させることができる。
【００７７】
以上、図１〜図６を参照して説明したように、画像形成装置１００は、画像形成装置１００の使用状況に合わせて、第１開口部１２の状態を全開状態又は全閉状態に制御する。これにより、印刷開始の待ち時間が長くなることを抑制することができる。
【００７８】
なお、本実施形態では、第１開口部１２の第２状態又は第３状態がともに全開状態であるが、本発明はこれに限定されない。例えば、第１開口部１２の第２状態又は第３状態は、同じ状態でなくてもよい。
【００７９】
［実施形態２］
以下、図７〜図１３を参照して、実施形態２に係る画像形成装置２００の構成を説明する。まず、図７及び図８を参照して、画像形成装置２００の構成を説明する。図７は、実施形態２に係る画像形成装置２００のブロック図である。図８は、実施形態２に係る画像形成装置２００の外観を示す斜視図である。
【００８０】
画像形成装置２００は、図７に示すように、第１シャッター２０を備えず、排気ファン６０及び第２シャッター７０を備える点で、実施形態１に係る画像形成装置１００と異なる。また、画像形成装置２００は、図８に示すように、筐体１０に第１開口部１２が形成されていない点で、実施形態１に係る画像形成装置１００と異なる。
【００８１】
排気ファン６０は、筐体１０の内部に配置される。排気ファン６０は、吸気ファン１の駆動により筐体１０の内部に生成された空気流を筐体１０の外部に排気する。本実施形態において、排気ファン６０は、第３開口部１４の近傍に配置される。排気ファン６０は、筐体１０の内部の空気を筐体１０の外部へ排気する。排気ファン６０は、制御部５によって制御され、第１回転速度、又は第２回転速度で回転する。また、排気ファン６０は、制御部５によって制御され、停止する。第１回転速度は、第２回転速度よりも高速である。本実施形態において、第１回転速度は、全速である。全速とは、例えば、排気ファン６０の最大回転速度を示す。第２回転速度は、半速である。半速とは、例えば、排気ファン６０の最大回転速度に対して半分の回転速度を示す。なお、全速は、排気ファン６０の第１回転速度の一例であり、半速は、排気ファン６０の第２回転速度の一例である。
【００８２】
第２シャッター７０は、実施形態１の第１シャッター２０と同様に筐体１０の内部に配置される。第２シャッター７０は、実施形態１の第１シャッター２０と異なり、第３開口部１４に対して設けられる。
【００８３】
次に、図９（ａ）及び図９（ｂ）を参照して、第２シャッター７０について更に説明する。図９（ａ）及び図９（ｂ）は、画像形成装置２００の第３開口部１４付近の断面を示す図である。詳しくは、図９（ａ）は、第３開口部１４を半開にした状態を示す。図９（ｂ）は、第３開口部１４を全開にした状態を示す。
【００８４】
図９（ａ）及び図９（ｂ）に示すように、第３開口部１４はルーバー状であり、複数の第２貫通孔１４Ａを有する。図９（ａ）及び図９（ｂ）に示すように、第２シャッター７０は、第３開口部１４を半開状態又は全開状態にする。ここで、第３開口部１４の半開状態とは、第３開口部１４の第２貫通孔１４Ａの半分が第２シャッター７０によって閉塞されている状態を示す。第３開口部１４の全開状態とは、第３開口部１４の第２貫通孔１４Ａのすべてが第２シャッター７０によって開放されている状態を示す。開放されている状態とは、第２貫通孔１４Ａが第２シャッター７０によって閉塞されていないことを示す。全開状態の第３開口部１４は、半開状態の第３開口部１４と比べて、開放面積が大きい。ここで、開放面積とは、画像形成装置２００（筐体１０）の外部から第２貫通孔１４Ａを観た際に、第２シャッター７０によって閉塞されていない第２貫通孔１４Ａの総面積を示す。なお、半開状態は、第３開口部１４の第１開放状態の一例であり、全開状態は、第３開口部１４の第２開放状態の一例である。
【００８５】
第２シャッター７０は、第１シャッター体２２の代わりに、第２シャッター体７１を備える他は、実施形態１の第１シャッター２０の構成と同様である。第２シャッター体７１は、閉口部７１Ａと、ラック部２２Ｂとを有する。閉口部７１Ａは、貫通孔を有しない。図７を参照して説明した制御部５は、駆動源２１１を制御することにより、第２シャッター体７１の上下方向の直線移動を制御する。この結果、第２シャッター７０（第２シャッター体７１）は、第３開口部１４を、半開状態（第１開放状態）、又は全開状態（第２開放状態）にする。第３開口部１４が半開状態（第１開放状態）である場合、筐体１０の内部の熱は筐体１０の外部に排気されにくくなる。第３開口部１４が全開状態（第２開放状態）である場合、筐体１０の内部の熱は筐体１０の外部に排気されやすくなる。
【００８６】
次に、図７〜図１１を参照して、画像形成装置２００の制御部５が実行する処理について説明する。図１０及び図１１は、画像形成装置２００の制御部５が実行する処理を示す。
【００８７】
詳しくは、図１０及び図１１に示す処理は、画像形成装置２００の電源がオフからオンに切り替わったことに応じてスタートする。図１０及び図１１に示すステップＳ４０１〜ステップＳ４１３の処理が実行されることによって、画像形成装置２００の冷却動作が行われる。スタートの時点では、第３開口部１４は全開状態（第２開放状態）である。また、スタートの時点では、排気ファン６０の駆動は停止している。
【００８８】
ステップＳ４０１：制御部５は、第３開口部１４が半開状態（第１開放状態）となるように、第２シャッター７０を制御する。更に、制御部５は、排気ファン６０を半速（第２回転速度）で駆動させる。処理は、ステップＳ４０２に進む。
【００８９】
ステップＳ４０２：制御部５は、画像形成装置２００の動作モードをウォームアップモードに移行させる。定着動作が可能な温度になるまで加熱部材が加熱されると、処理は、ステップＳ４０３に進む。
【００９０】
ステップＳ４０３：制御部５は、画像形成装置２００の動作モードを待機モードに移行させる。処理は、ステップＳ４０４に進む。
【００９１】
ステップＳ４０４：制御部５は、画像形成装置２００の動作モードをウォームアップモードから待機モードに移行した時点から所定時間経過したか否かを判定する。制御部５が所定時間経過したと判定した場合（ステップＳ４０４；ＹＥＳ）、処理は、ステップＳ４１１へ進む。制御部５が所定時間経過していないと判定した場合（ステップＳ４０４；Ｎｏ）、処理は、ステップＳ４０５へ進む。所定時間は、画像形成装置２００の使用環境などに応じて適宜調整され得る。
【００９２】
ステップＳ４０５：制御部５は、受付部３０が画像形成指示を受け付けたか否かを判定する。受付部３０が画像形成指示を受け付けたと制御部５が判定した場合（ステップＳ４０５；ＹＥＳ）、処理は、ステップＳ４０６へ進む。受付部３０が画像形成指示を受け付けていないと制御部５が判定した場合（ステップＳ４０５；Ｎｏ）、処理は、ステップＳ４０４へ戻る。
【００９３】
ステップＳ４０６：制御部５は、排気ファン６０を全速（第１回転速度）で駆動させる。処理は、ステップＳ４０７へ進む。
【００９４】
ステップＳ４０７：制御部５は、画像形成装置２００の動作モードを印刷モードに移行させる。印刷処理が終了すると、処理は、ステップＳ４０８へ進む。
【００９５】
ステップＳ４０８：制御部５は、排気ファン６０を半速（第２回転速度）で駆動させる。処理は、ステップＳ４０９へ進む。
【００９６】
ステップＳ４０９：制御部５は、画像形成装置２００の動作モードを待機モードに移行させる。処理は、ステップＳ４１０へ進む。
【００９７】
ステップＳ４１０：制御部５は、画像形成装置２００の動作モードが印刷モードから待機モードに移行した時点から所定時間経過したか否かを判定する。制御部５が所定時間経過したと判定した場合（ステップＳ４１０；ＹＥＳ）、処理は、ステップＳ４１１へ進む。制御部５が所定時間経過していないと判定した場合（ステップＳ４１０；Ｎｏ）、処理は、ステップＳ４１３へ進む。
【００９８】
ステップＳ４１１：制御部５は、第３開口部１４が全開状態（第２開放状態）となるように、第２シャッター７０を制御する。更に、制御部５は、排気ファン６０の駆動を停止させる。処理は、ステップＳ４１２へ進む。
【００９９】
ステップＳ４１２：制御部５は、画像形成装置２００の動作モードをスリープモードに移行させる。処理は、終了する。
【０１００】
ステップＳ４１３：制御部５は、受付部３０が画像形成指示を受け付けたか否かを判定する。受付部３０が画像形成指示を受け付けたと制御部５が判定した場合（ステップＳ４１３；ＹＥＳ）、処理は、ステップＳ４０６へ戻る。受付部３０が画像形成指示を受け付けていないと制御部５が判定した場合（ステップＳ４１３；Ｎｏ）、処理は、ステップＳ４１０へ戻る。
【０１０１】
以上、図１０及び図１１を参照して説明したように、制御部５は、印刷モード、待機モード、及びスリープモードに応じて、第２シャッター７０及び排気ファン６０の動作を制御する。具体的に、制御部５は、画像形成装置２００の動作モードが印刷モードである間は、第３開口部１４が半開状態（第１開放状態）となるように、第２シャッター７０を制御するとともに、排気ファン６０を全速（第１回転速度）で駆動させる。また、制御部５は、画像形成装置２００の動作モードが待機モードである間は、第３開口部１４が半開状態（第１開放状態）となるように、第２シャッター７０を制御するとともに、排気ファン６０を半速（第２回転速度）で駆動させる。また、制御部５は、画像形成装置２００の動作モードがスリープモードである間は、第３開口部１４が全開状態（第２開放状態）となるように、第２シャッター７０を制御するとともに、排気ファン６０を停止させる。これにより、定着部４などの温度を下げたくない部分の温度を下げにくくすることができる。その結果、印刷開始の待ち時間が長くなることを抑制することができる。
【０１０２】
次に、図７、図８、及び図１２を参照して、画像形成装置２００の制御部５が実行する処理について、更に説明する。図１２は、実施形態２に係る画像形成装置２００の制御部５が実行する処理を示すフローチャートである。図１２に示す処理は、画像形成装置２００の動作モードがスリープモードである間に受付部３０が画像形成指示を受け付けたことに応じてスタートする。スタートの時点では、画像形成装置２００の動作モードはスリープモードであり、第３開口部１４は全開状態（第２開放状態）であり、排気ファン６０の駆動は停止している。
【０１０３】
ステップＳ５０１：制御部５は、第３開口部１４が半開状態（第１開放状態）となるように、第２シャッター７０を制御する。制御部５は、排気ファン６０を半速（第２回転速度）で駆動させる。処理は、ステップＳ５０２に進む。
【０１０４】
ステップＳ５０２：制御部５は、画像形成装置２００の動作モードをウォームアップモードに移行させる。定着動作が可能な温度になるまで加熱部材が加熱されると、処理は、ステップＳ５０３に進む。
【０１０５】
ステップＳ５０３：制御部５は、排気ファン６０を全速（第１回転速度）で駆動させる。処理は、ステップＳ５０４に進む。
【０１０６】
ステップＳ５０４：制御部５は、画像形成装置２００の動作モードを印刷モードに移行させる。印刷処理が完了すると、処理は、ステップＳ５０５へ進む。
【０１０７】
ステップＳ５０５：制御部５は、第３開口部１４が全開状態（第２開放状態）となるように、第２シャッター７０を制御する。制御部５は、排気ファン６０を停止させる。処理は、ステップＳ５０６に進む。
【０１０８】
ステップＳ５０６：制御部５は、画像形成装置２００の動作モードを待機モードに移行させる。処理は、ステップＳ５０７へ進む。
【０１０９】
ステップＳ５０７：制御部５は、画像形成装置２００の動作モードが印刷モードから待機モードに移行した時点から所定時間経過したか否かを判定する。制御部５が所定時間経過したと判定した場合（ステップＳ５０７；ＹＥＳ）、処理は、ステップＳ５０８へ進む。制御部５が所定時間経過していないと判定した場合（ステップＳ５０７；Ｎｏ）、処理は、ステップＳ５０９へ進む。
【０１１０】
ステップＳ５０８：制御部５は、画像形成装置２００の動作モードをスリープモードに移行させる。処理は、終了する。
【０１１１】
ステップＳ５０９：制御部５は、受付部３０が画像形成指示を受け付けたか否かを判定する。受付部３０が画像形成指示を受け付けたと制御部５が判定した場合（ステップＳ５０９；ＹＥＳ）、処理は、ステップＳ５１０へ進む。受付部３０が画像形成指示を受け付けていないと制御部５が判定した場合（ステップＳ５０９；Ｎｏ）、処理は、ステップＳ５０７へ戻る。
【０１１２】
ステップＳ５１０：制御部５は、第３開口部１４が半開状態（第１開放状態）となるように、第２シャッター７０を制御する。制御部５は、排気ファン６０を全速（第１回転速度）で駆動させる。処理は、ステップＳ５０４に戻る。
【０１１３】
次に、図７、図８、及び図１３を参照して、画像形成装置２００の制御部５が実行する処理について更に説明する。図１３は、実施形態２に係る画像形成装置２００の制御部５が実行する処理を示すフローチャートである。図１３に示す処理は、画像形成装置１００の動作モードが印刷モードである際に、消耗品が切れたことに応じてスタートする。スタートの時点では、画像形成装置２００の動作モードは印刷モードであり、第３開口部１４は半開状態（第１開放状態）であるとともに、排気ファン６０は全速（第１回転速度）で駆動している。
【０１１４】
ステップＳ６０１：制御部５は、シート検知部４１及び残量検知部５１から送られた信号に基づいて、シート又はトナー（消耗品）が切れたことを検知すると、排気ファン６０を半速（第２回転速度）で駆動させる。処理は、ステップＳ６０２へ進む。
【０１１５】
ステップＳ６０２：制御部５は、画像形成装置２００の動作モードを待機モードに移行させる。処理は、ステップＳ６０３へ進む。
【０１１６】
ステップＳ６０３：制御部５は、シート検知部４１及び残量検知部５１から送られる信号に基づいて、シート又はトナーが補充されたか否かを判定する。シート又はトナーが補充されたと制御部５が判定した場合（ステップＳ６０３；Ｙｅｓ）、処理はステップＳ６０４へ進む。シート又はトナーが補充されていないと判定した場合（ステップＳ６０３；Ｎｏ）処理はステップＳ６０３へ戻る。
【０１１７】
ステップＳ６０４：制御部５は、排気ファン６０を全速（第１回転速度）で駆動させる。処理は、ステップＳ６０５に進む。
【０１１８】
ステップＳ６０５：制御部５は、画像形成装置２００の動作モードを印刷モードに移行させる。印刷処理が完了すると、処理は、ステップＳ６０６へ進む。
【０１１９】
ステップＳ６０６：制御部５は、排気ファン６０を半速（第２回転速度）で駆動させる。処理は、ステップＳ６０７へ進む。
【０１２０】
ステップＳ６０７：制御部５は、画像形成装置２００の動作モードを待機モードに移行させる。処理は、ステップＳ６０８へ進む。
【０１２１】
ステップＳ６０８：制御部５は、画像形成装置２００の動作モードが印刷モードから待機モードに移行した時点から所定時間経過したか否かを判定する。制御部５が所定時間経過したと判定した場合（ステップＳ６０８；ＹＥＳ）、処理は、ステップＳ６０９へ進む。制御部５が所定時間経過していないと判定した場合（ステップＳ６０８；Ｎｏ）、処理は、ステップＳ６１１へ進む。
【０１２２】
ステップＳ６０９：制御部５は、第３開口部１４が全開状態（第２開放状態）となるように、第２シャッター７０を制御する。制御部５は、排気ファン６０の駆動を停止させる。処理は、ステップＳ６１０へ進む。
【０１２３】
ステップＳ６１０：制御部５は、画像形成装置２００の動作モードをスリープモードに移行させる。処理は、終了する。
【０１２４】
ステップＳ６１１：制御部５は、受付部３０が画像形成指示を受け付けたか否かを判定する。受付部３０が画像形成指示を受け付けたと制御部５が判定した場合（ステップＳ６１１；ＹＥＳ）、処理は、ステップＳ６０４へ戻る。受付部３０が画像形成指示を受け付けていないと制御部５が判定した場合（ステップＳ６１１；Ｎｏ）、処理は、ステップＳ６０８へ戻る。
【０１２５】
図７〜図１３を参照して説明したように、画像形成装置２００は、画像形成装置２００の使用状況に合わせて、第３開口部１４の状態を半開状態又は全開状態に制御するとともに、排気ファン６０の回転速度を制御する。これにより、印刷開始の待ち時間が長くなることを抑制することができる。
【０１２６】
以上、図面（図１〜図１３）を参照しながら本発明の実施形態を説明した。但し、本発明は、上記の実施形態に限られるものではなく、その要旨を逸脱しない範囲で種々の態様において実施することが可能である（例えば、下記に示す（１）〜（１０））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【０１２７】
（１）図１〜図６を参照して説明した画像形成装置１００は、第１シャッター２０を１つ備えるが、本発明はこれに限定されない。画像形成装置１００は、第１シャッター２０を２つ以上備えていてもよい。
【０１２８】
（２）図１〜図６を参照して説明したように、本発明の実施形態では、第１状態は全閉状態、第２状態及び第３状態は全開状態であるが、本発明はこれに限定されない。第２状態の第１開口部１２は、第１状態の第１開口部１２と比べて、開放面積が大きければよい。また、第３状態の第１開口部１２は、第１状態の第１開口部１２と比べて、開放面積が大きければよい。
【０１２９】
（３）図７〜図１３を参照して説明した画像形成装置２００は、第３開口部１４に対して設けられた第２シャッター７０を備えるが、本発明はこれに限定されない。第２シャッター７０は、第４開口部１５、第５開口部１６、第６開口部１７、又は第７開口部１８に対して設けられてもよい。
【０１３０】
（４）図７〜図１３を参照して説明した画像形成装置２００は、第２シャッター７０を１つ備えるが、本発明はこれに限定されない。画像形成装置２００は、第２シャッター７０を２つ以上備えてもよい。
【０１３１】
（５）図７〜図１３を参照して説明したように、本発明の実施形態では、第１開放状態は半開状態、第２開放状態は全開状態であるが、本発明はこれに限定されない。第２開放状態の第３開口部１４は、第１開放状態の第３開口部１４に比べて、開放面積が大きければよい。
【０１３２】
（６）図１〜図１３を参照して説明したように、第１開口部１２〜第７開口部１８の形状は、ルーバー状であるが、本発明はこれに限定されない。第１開口部１２〜第７開口部１８の形状は、筐体１０の内部と外部とを連通させる形状であればよい。
【０１３３】
（７）図１〜図６を参照して説明した画像形成装置１００の右側壁１０Ｒは、第１開口部１２に加えて、第３開口部１４〜第７開口部１８を有したが、本発明はこれに限定されない。画像形成装置１００の右側壁１０Ｒは、第１開口部１２のみを有していてもよいし、第１開口部１２に加えて、第３開口部１４〜第７開口部１８のうちの少なくとも１つを有してもよい。あるいは、画像形成装置１００の右側壁１０Ｒは、第１開口部１２に加えて、第３開口部１４〜第７開口部１８とは異なる開口部を有していてもよい。
【０１３４】
（８）図７〜図１３を参照して説明した画像形成装置２００の右側壁１０Ｒは、第３開口部１４に加えて、第４開口部１５〜第７開口部１８を有したが、本発明はこれに限定されない。画像形成装置２００の右側壁１０Ｒは、第３開口部１４のみを有していてもよいし、第３開口部１４に加えて、第４開口部１５〜第７開口部１８のうちの少なくとも１つを有してもよい。例えば、画像形成装置２００の右側壁１０Ｒは、第３開口部１４に加えて、図１〜図６を参照して説明した第１開口部１２を有してもよい。
【０１３５】
（９）図１〜図１３を参照して説明したように、画像形成装置１００及び画像形成装置２００の左側壁１０Ｌは、１つの開口部を有するが、本発明はこれに限定されない。画像形成装置１００及び画像形成装置２００の左側壁１０Ｌは、複数の開口部を有していてもよい。
【０１３６】
（１０）図１〜図１３を参照して説明したように、本発明の実施形態では、実施形態１に係る画像形成装置１００及び実施形態２に係る画像形成装置２００は電子写真方式のモノクロプリンターであるが、本発明はこれに限定されない。例えば、画像形成装置１００及び画像形成装置２００は、カラー複写機でもよい。
【産業上の利用可能性】
【０１３７】
本発明は、例えば、画像形成装置の分野に有用である。
【符号の説明】
【０１３８】
３      画像形成部
５      制御部
１０    筐体
１２    開口部
２０    シャッター
１００  画像形成装置
【図１】
2020095142.tif 000003
【図２】
2020095142.tif 000004
【図３】
2020095142.tif 000005
【図４】
2020095142.tif 000006
【図５】
2020095142.tif 000007
【図６】
2020095142.tif 000008
【図７】
2020095142.tif 000009
【図８】
2020095142.tif 000010
【図９】
2020095142.tif 000011
【図１０】
2020095142.tif 000012
【図１１】
2020095142.tif 000013
【図１２】
2020095142.tif 000014
【図１３】
2020095142.tif 000015